(57)【要約】【課題】ＡＣ遮断時に、室外機を適切に停止させる。【解決手段】電源装置は、ＡＣ遮断時に、第１コンデンサ（１３２）及び第２コンデンサ（１３３）と、平滑されたＤＣ電圧を室外機（１０１）内のモータ（１１０）に擬似交流電圧として印加するインバータ回路（１２０）との間を非導通状態に切り換えるリレー部（１３５）を備える。【選択図】図１
2017215068.tif 000002
【特許請求の範囲】
【請求項１】
空気調和機の室外機に搭載される電源装置であって、
ＡＣ電圧を整流する整流回路と、
上記整流回路にて整流して得られたＤＣ電圧を平滑する平滑コンデンサと、
上記平滑コンデンサにて平滑されたＤＣ電圧を上記室外機内の圧縮機モータに擬似交流電圧として印加するインバータ回路と、
上記平滑コンデンサと上記インバータ回路との間の導通状態・非導通状態を切り換えるリレー部と、
を備え、
上記リレー部は、
ＡＣ遮断時に、上記平滑コンデンサと上記インバータ回路との間を非導通状態に切り換えることを特徴とする電源装置。
【請求項２】
上記インバータ回路を駆動制御する制御回路と、
上記制御回路に電力を供給する電源回路と、
をさらに備え、
上記電源回路の電力入力端子は、上記平滑コンデンサの正極側に接続されていることを特徴とする請求項１に記載の電源装置。
【請求項３】
上記電源回路は、
上記室外機内の圧縮機モータが停止する際に生じる回生エネルギーが充電されることを特徴とする請求項２に記載の電源装置。
【請求項４】
上記平滑コンデンサは、
上記室外機内の圧縮機モータが停止する際に生じる回生エネルギーが充電されることを特徴とする請求項１〜３の何れか１項に記載の電源装置。
【請求項５】
上記リレー部は、
電磁力を発生する電磁部と、当該電磁部によって発生した電磁力によりＯＮ／ＯＦＦするスイッチ部とを備えていることを特徴とする請求項１〜４の何れか１項に記載の電源装置。
【請求項６】
上記リレー部は、
信号を発生する電磁部と、当該電磁部によって発生した信号によりＯＮ／ＯＦＦするスイッチ部とを備えていることを特徴とする請求項１〜４の何れか１項に記載の電源装置。
【請求項７】
空気調和機の室外機に搭載される電源装置であって、
ＡＣ電圧を整流する整流回路と、
上記整流回路にて整流して得られたＤＣ電圧を平滑する平滑コンデンサと、
上記平滑コンデンサにて平滑されたＤＣ電圧を上記室外機内の圧縮機モータに擬似交流電圧として印加するインバータ回路と、
上記インバータ回路を駆動制御する制御回路と、
上記制御回路に電力を供給する電源回路と、
を備え、
上記平滑コンデンサと並列に接続され、上記ＤＣ電圧の高圧側と低圧側との間の導通状態・非導通状態を切り換えるリレー部と、
を備え、
上記リレー部は、ダイオードと電源用コンデンサからなり、
上記ダイオードのカソードが上記ＤＣ電圧の高圧側に接続され、当該ダイオードのアノードが上記電源用コンデンサ及び上記電源回路に接続されていることを特徴とする電源装置。
【請求項８】
外部の電源から電力が供給される室内機と、当該室内機から電力が供給される室外機とを備えた空気調和機であって、
上記室外機に搭載される電源装置は、請求項１〜７の何れか１項に記載の電源装置であることを特徴とする空気調和機。
【発明の詳細な説明】
【技術分野】
【０００１】
本発明は空気調和機に関し、特に室外機に用いられる電源装置に関する。
【背景技術】
【０００２】
室内の気温、湿度、または空気清浄度などを調節する空気調和機は従来から広く用いられている。このような空気調和機のうち、室内機と室外機とに分かれた所謂セパレート型の空気調和機では、室外機には室内機から電力が供給される。従って、室外機では、室内機から供給される商用電源（ＡＣ電圧）をダイオードブリッジで整流し、平滑化コンデンサで平滑し高圧のＤＣ電圧を作っている。このＤＣ電圧は、圧縮機を駆動するための電源となり、且つインバータ回路等の制御システム用の電源となる。
【０００３】
ところで、室外機において過電流が発生すれば、圧縮機やインバータ回路等に流れる過電流を止めるため制御システムがインバータ回路の駆動を停止させている。しかしながら、インバータ回路の故障により制御システムからの駆動停止の信号を受付けることができない場合には、インバータ回路と圧縮機に流れる過電流を止めることができず、インバータ回路と圧縮機の破損を招いていた。
【０００４】
そこで、特許文献１には、室外機において過電流を検出したときに、室内機の電源リレーをＯＦＦにして、室内機から室外機への電力供給を遮断することで、インバータ部（インバータ回路）が故障していても、過電流によるインバータ部及び圧縮機の破損防止を可能とした空気調和機が開示されている。
【先行技術文献】
【特許文献】
【０００５】
【特許文献１】特開２００７−１３９３１６号公報（２００７年６月７日公開）
【発明の概要】
【発明が解決しようとする課題】
【０００６】
ところで、特許文献１に開示された空気調和機のように、室内機の電源リレーを遮断することにより、室内機から室外機への電力供給が遮断されると、室外機のＡＣ（alternating current:交流電流）が遮断される。このようにＡＣが意図せず遮断されると、室外機は平滑コンデンサに充電されたエネルギーにより短時間駆動し続けることができるものの、エネルギーのほとんどが圧縮機の電源として消費されるため、制御システムの電源を維持することが困難となり、インバータ回路の駆動制御を適切に行えなくなる。つまり、ＡＣが意図せず遮断されると、圧縮機（インバータ回路も含む）が動作している状態で制御システムの電源が落ちてしまい、インバータ回路の駆動制御が行えない虞がある。このような場合、インバータ回路のように高電圧を高速スイッチングさせている回路では短絡が生じる可能性がある。
【０００７】
従って、従来の空気調和機では、停電などによりＡＣが意図せず遮断された場合、圧縮機（インバータ回路も含む）が動作している状態で、インバータ回路の駆動制御が適切に行えないため、室外機を適切に停止させることができないという問題が生じる。
【０００８】
本発明は、前記の問題点に鑑みてなされたものであり、その目的は、ＡＣが意図せず遮断された場合であっても、室外機を適切に停止させることのできる電源装置を実現することにある。
【課題を解決するための手段】
【０００９】
上記の課題を解決するために、本発明の一態様に係る電源装置は、空気調和機の室外機に搭載される電源装置であって、ＡＣ電圧を整流する整流回路と、上記整流回路にて整流して得られたＤＣ電圧を平滑する平滑コンデンサと、上記平滑コンデンサにて平滑されたＤＣ電圧を上記室外機内の圧縮機モータに擬似交流電圧として印加するインバータ回路と、上記平滑コンデンサと上記インバータ回路との間の導通状態・非導通状態を切り換えるリレー部と、を備え、上記リレー部は、ＡＣ遮断時に、上記平滑コンデンサと上記インバータ回路との間を非導通状態に切り換えることを特徴としている。
【００１０】
また、本発明の一態様に係る電源装置は、空気調和機の室外機に搭載される電源装置であって、ＡＣ電圧を整流する整流回路と、上記整流回路にて整流して得られたＤＣ電圧を平滑する平滑コンデンサと、上記平滑コンデンサにて平滑されたＤＣ電圧を上記室外機内の圧縮機モータに擬似交流電圧として印加するインバータ回路と、上記インバータ回路を駆動制御する制御回路と、上記制御回路に電力を供給する電源回路と、を備え、上記平滑コンデンサと並列に接続され、上記ＤＣ電圧の高圧側と低圧側との間の導通状態・非導通状態を切り換えるリレー部と、を備え、上記リレー部は、ダイオードと電源用コンデンサからなり、上記ダイオードのカソードが上記ＤＣ電圧の高圧側に接続され、当該ダイオードのアノードが上記電源用コンデンサ及び上記電源回路に接続されていることを特徴としている。
【発明の効果】
【００１１】
本発明の一態様によれば、ＡＣが意図せず遮断された場合であっても、室外機を適切に停止させることができるという効果を奏する。
【図面の簡単な説明】
【００１２】
【図１】本発明の実施形態１に係る電源装置を備えた室外機の概略構成ブロック図である。
【図２】図１に示す電源装置のリレー部の一例を示す回路図である。
【図３】図１に示す電源装置のリレー部の他の例を示す回路図である。
【図４】本発明の実施形態２に係る電源装置を備えた室外機の概略構成ブロック図である。
【図５】本発明の実施形態３に係る電源装置を備えた室外機の概略構成ブロック図である。
【図６】図５に示す電源装置のリレー部の一例を示す回路図である。
【発明を実施するための形態】
【００１３】
〔実施形態１〕
以下、本発明の実施の形態について、詳細に説明する。本実施形態では、本発明の電源装置を空気調和機の室外機に搭載した例について説明する。ここで、空気調和機とは、被空調空間（例えば室内）の気温や湿度を調節（空調）する装置であり、例えばエアコンである。
【００１４】
（室外機）
空気調和機は、外部の電源から電力が供給される室内機（図示せず）と当該室内機から電力が供給される図１に示す室外機１０１とを備えている。本願は、室外機に関する発明であるため、室内機についての説明は省略する。
【００１５】
室外機１０１は、図１に示すように、圧縮機モータ１１０、インバータ回路１２０、平滑回路１３０、電源回路１４０、制御回路１５０を含んでおり、ＡＣ電源（交流電源）１６０が接続されている。室外機１０１は、室外機用のマイコン１７０をさらに含んでいる。ＡＣ電源１６０は商用電源であり、図示しない室内機側からの電力を室外機１０１に供給する。
【００１６】
圧縮機モータ１１０は、三相交流電流によって駆動するＡＣモータの一種であり、図示しない圧縮機（コンプレッサ）を動作させる。インバータ回路１２０は、三相ブリッジ状に結線された６個のスイッチング素子１２１が並列に３組接続され、且つ各スイッチング素子１２１に並列に帰還ダイオード１２２が接続され、平滑回路１３０からのＤＣ電圧を三相交流電圧（擬似交流電圧）に変換する。つまり、インバータ回路１２０は、三相交流電圧を圧縮機モータ１１０に印加するようになっている。従って、インバータ回路１２０及び平滑回路１３０により室外機１０１を駆動するための電源装置を構成している。
【００１７】
平滑回路１３０は、ＡＣ電圧を整流して得られたＤＣ電圧を平滑する回路であり、ＡＣ電源１６０に接続された整流回路１３１、上記インバータ回路１２０を介して負荷である圧縮機モータ１１０に並列に接続された３つのコンデンサ（第１コンデンサ１３２、第２コンデンサ１３３、第３コンデンサ１３４）、及び抵抗１３６・１３７を含んでいる。整流回路１３１の高圧側のＤＣラインと低圧側のＤＣラインとの間には、リレー部１３５と、第１コンデンサ１３２及び第２コンデンサ１３３とが直列に接続されている。
【００１８】
リレー部１３５は、ＡＣが遮断された場合にＯＦＦになるように制御されている。つまり、ＡＣが遮断されると、リレー部１３５がＯＦＦになり、整流回路１３１の高圧側のＤＣラインから平滑コンデンサである、第１コンデンサ１３２、第２コンデンサ１３３が切り離される。つまり、上記リレー部１３５は、ＡＣ遮断時に、上記平滑コンデンサ（第１コンデンサ１３２，第２コンデンサ１３３）と上記インバータ回路１２０との間を非導通状態に切り換える。これにより、インバータ回路１２０には、第１コンデンサ１３２、第２コンデンサ１３３に充電された電力が供給されないので、当該インバータ回路１２０から圧縮機モータ１１０に三相交流電圧（疑似交流電圧）を印加することはない。つまり、ＡＣ遮断時に、圧縮機モータ１１０を直ぐに停止させることができる。リレー部１３５の詳細については後述する。
【００１９】
なお、第１コンデンサ１３２、第２コンデンサ１３３は、圧縮機モータ１１０が停止する際に生じる回生エネルギーを充電するようにしてもよい。具体的には、第１コンデンサ１３２、第２コンデンサ１３３には、圧縮機モータ１１０の停止時の回生エネルギーが、当該圧縮機モータ１１０の各相（Ｕ相、Ｖ相、Ｗ相）ラインから３つのダイオード１１１を介してバイパスすることにより充電される。
【００２０】
電源回路１４０は、制御回路１５０に電力を供給する回路であり、上記第１コンデンサ１３２、第２コンデンサ１３３に接続されている。具体的には、電源回路１４０の電力入力端子は、上記第１コンデンサ１３２、第２コンデンサ１３３の正極側に接続されている。これにより、ＡＣが遮断された場合、リレー部１３５がＯＦＦになり、整流回路１３１の高圧側のＤＣラインから平滑コンデンサである、第１コンデンサ１３２、第２コンデンサ１３３が切り離されると、当該第１コンデンサ１３２、第２コンデンサ１３３に充電された電力は、インバータ回路１２０に供給されず、電源回路１４０に供給される。これにより、ＡＣ遮断時であっても、インバータ回路１２０を駆動制御する制御回路１５０に電力を安定して供給することができる。
【００２１】
なお、電源回路１４０は、圧縮機モータ１１０が停止する際に生じる回生エネルギーを充電してもよい。具体的には、電源回路１４０に用いられるコンデンサの容量を大きくして、上記回生エネルギーを充電するようにしてもよい。この場合、室外機１０１内の圧縮機モータ１１０が停止する際に生じる回生エネルギーがコンデンサに充電されることで、回生エネルギーを充電しない場合に比べて、ＡＣ遮断時に利用できる電力を多くすることが可能となる。
【００２２】
制御回路１５０は、上記電源回路１４０から供給される電力によって、インバータ回路１２０に対して駆動用の制御信号を出力する回路である。従って、電源回路１４０からの制御回路１５０へ電力の供給が停止すれば、インバータ回路１２０を駆動制御できず、当該インバータ回路１２０を破壊してしまう虞がある。これは、ＡＣが遮断された場合、通常、平滑コンデンサである、第１コンデンサ１３２、第２コンデンサ１３３に充電された電力は、インバータ回路１２０を経て圧縮機モータ１１０に供給され、電源回路１４０に供給されないためである。
【００２３】
しかしながら、図１に示す室外機１０１では、上述のように、ＡＣが遮断された場合、第１コンデンサ１３２、第２コンデンサ１３３に充電された電力は、インバータ回路１２０に供給されず、電源回路１４０にのみ供給される構成となっているため、インバータ回路１２０を適切に制御し、適切に停止させることができる。
【００２４】
（リレー部１３５）
リレー部１３５のＯＮ／ＯＦＦは、マイコン１７０からの信号により行う。マイコン１７０は、抵抗１３６・１３７の接点ＰによってＤＣ電圧を分圧して得られる電圧が供給され、当該電圧を監視することにより、ＡＣが遮断されたか否かを判断している。具体的に、マイコン１７０は、ＤＣ電圧を分圧して得られる電圧が予め設定した閾値以下になったと判断したとき、ＡＣが遮断されたと判断し、リレー部１３５をＯＦＦするための信号を当該リレー部１３５に出力する。
【００２５】
リレー部１３５は、例えば図２に示すように、電磁力を発生する電磁部１１と、当該電磁部１１によって発生した電磁力によりＯＮ／ＯＦＦするスイッチ部１２とを備えた構成であってもよい。すなわち、リレー部１３５は、マイコン１７０からの信号を受信する入力端子に接続されたコイルを含む電磁部１１と、当該電磁部１１の電磁力によりＯＮ／ＯＦＦするスイッチを含むスイッチ部１２とからなる有接点リレー（ＤＣパワーリレー（機械式））によって構成してもよい。スイッチ部１２の一方の端子は、ＤＣライン、他方の端子は平滑コンデンサ（第１コンデンサ１３２、第２コンデンサ１３３）に接続されている。従って、マイコン１７０からのリレー部１３５をＯＦＦするための信号が電磁部１１の入力端子に入力され、当該電磁部１１を駆動させて、その電磁力により、スイッチ部１２をＯＦＦに切り換える。スイッチ部１２がＯＦＦ状態となると、ＤＣラインと平滑コンデンサ（第１コンデンサ１３２、第２コンデンサ１３３）とが非導通状態となり、平滑コンデンサに充電された電力は、後段のインバータ回路１２０に送られない。
【００２６】
また、リレー部１３５は、例えば図３に示すように、信号（光等）を発生する電磁部１１と、当該電磁部１１によって発生した信号によりＯＮ／ＯＦＦするスイッチ部１２とを備えていてもよい。具体的には、リレー部１３５は、マイコン１７０からの信号を受信する入力端子に接続されたダイオードを含む電磁部１１と、当該電磁部１１のダイオードによる発光によりＯＮ／ＯＦＦするフォトカプラを含むスイッチ部１２とからなる無接点リレー（半導体スイッチ（例えばＳＳＤ：ソリッドステート・リレー））によって構成してもよい。スイッチ部１２の一方の端子は、ＤＣライン、他方の端子は平滑コンデンサ（第１コンデンサ１３２、第２コンデンサ１３３）に接続されている。従って、マイコン１７０からのリレー部１３５をＯＦＦするための信号が電磁部１１の入力端子に入力され、当該電磁部１１を駆動させて、その発光により、スイッチ部１２をＯＦＦに切り換える。スイッチ部１２がＯＦＦ状態となると、ＤＣラインと平滑コンデンサ（第１コンデンサ１３２、第２コンデンサ１３３）とが非導通状態となり、平滑コンデンサに充電された電力は、後段のインバータ回路１２０に送られない。
【００２７】
なお、リレー部１３５としては、図２，３に示す例以外の構造のリレーであってもよく、図２，３に示す例に限定されるものではない。
【００２８】
（効果）
上記構成の室外機１０１に搭載された電源装置によれば、ＡＣが意図せず遮断されても、リレー部１３５が直ぐにＯＦＦになるので、平滑コンデンサである、第１コンデンサ１３２、第２コンデンサ１３３をＤＣラインから切り離されるため、圧縮機モータ１１０への電力供給を直ぐに停止させることができる。
【００２９】
しかも、ＡＣの遮断時に、平滑コンデンサである、第１コンデンサ１３２、第２コンデンサ１３３をＤＣラインから切り離されることにより、第１コンデンサ１３２、第２コンデンサ１３３に蓄えられた電力を全て電源回路１４０に供給されることになる。つまり、ＡＣの遮断時には、第１コンデンサ１３２、第２コンデンサ１３３に蓄えられた電力が全て制御回路１５０の電力源として使用することができる。これにより、ＡＣの遮断時であっても、制御回路１５０によってインバータ回路１２０を適切に駆動制御できるため、当該インバータ回路１２０を適切に停止させることができる。
【００３０】
また、ＡＣの遮断時には、上述したように、第１コンデンサ１３２、第２コンデンサ１３３に圧縮機モータ１１０の停止時の回生エネルギーが充電されるので、ＡＣ遮断後も、しばらくの間、制御回路１５０に安定して電力を供給することが可能となる。
【００３１】
しかも、本実施形態に係る室外機１０１では、従来の空気調和機においても行われているマイコン１７０によるＡＣ電圧、ＤＣ電圧の低下の検知を利用し、既存の回路ベースに、リレー部１３５を設けるという簡単な構成で、ＡＣ遮断時に適切に停止するための回路を安価に実現している。
【００３２】
ところで、本実施形態では、リレー部１３５のＯＮ／ＯＦＦの制御をマイコン１７０からの信号によって行っていたが、以下の実施形態２では、マイコン１７０からの信号を用いずにリレー部１３５のＯＮ／ＯＦＦの制御を行う例について説明する。
【００３３】
〔実施形態２〕
本発明の他の実施形態について説明すれば以下のとおりである。なお、説明の便宜上、前記実施形態にて説明した部材と同じ機能を有する部材については、同じ符号を付記し、その説明を省略する。
【００３４】
図４は、本実施形態に係る室外機１０２の概略構成ブロック図を示す。
【００３５】
室外機１０２は、図４に示すように、前記実施形態１の室外機１０１とほぼ同じ構成であり、ＡＣ電圧を分圧するための２つの抵抗１３８・１３９が設けられている点が異なり、また、ＤＣ電圧を分割するための２つの抵抗１３６・１３７が設けられていない点で異なる。
【００３６】
（リレー部１３５のＯＮ／ＯＦＦ制御）
本実施形態で使用するリレー部１３５は、前記実施形態１の図３に示す半導体スイッチを用いた無接点リレーとする。リレー部１３５は、図４に示すように、抵抗１３８・１３９の接点Ｎから供給されるＡＣ電圧を分圧して得られた電圧によりＯＮ状態を維持する構成となっている。従って、ＡＣが遮断され分圧して得られた電圧が０になると、リレー部１３５は強制的にＯＦＦ状態になる。
【００３７】
（効果）
上記構成の室外機１０２に搭載された電源装置によれば、前記実施形態１の室外機１０１に搭載された電源装置と同じ効果を奏する。すなわち、ＡＣが意図せず遮断されても、リレー部１３５が直ぐにＯＦＦになるので、平滑コンデンサである、第１コンデンサ１３２、第２コンデンサ１３３をＤＣラインから切り離されるため、圧縮機モータ１１０への電力供給を直ぐに停止させることができる。
【００３８】
しかも、ＡＣの遮断時に、平滑コンデンサである、第１コンデンサ１３２、第２コンデンサ１３３をＤＣラインから切り離されることにより、第１コンデンサ１３２、第２コンデンサ１３３に蓄えられた電力を全て電源回路１４０に供給されることになる。つまり、ＡＣの遮断時には、第１コンデンサ１３２、第２コンデンサ１３３に蓄えられた電力が全て制御回路１５０の電力源として使用することができる。これにより、ＡＣの遮断時であっても、制御回路１５０によってインバータ回路１２０を適切に駆動制御できるため、当該インバータ回路１２０を適切に停止させることができる。
【００３９】
また、ＡＣの遮断時には、上述したように、第１コンデンサ１３２、第２コンデンサ１３３に圧縮機モータ１１０の停止時の回生エネルギーが充電されるので、ＡＣ遮断後も、しばらくの間、制御回路１５０に安定して電力を供給することが可能となる。
【００４０】
さらに、室外機１０２に搭載された電源装置では、リレー部１３５のＯＮ／ＯＦＦにＡＣ電圧を分圧して得られた電圧を利用しているため、マイコン１７０（図１）を経由しないので、より早くリレー部１３５をＯＦＦにすることができる。
【００４１】
しかも、本実施形態に係る室外機１０２では、既存の回路ベースに、リレー部１３５を設けるという簡単な構成で、ＡＣ遮断時に適切に停止するための回路を安価に実現している。
【００４２】
なお、マイコン１７０を経由しないで、リレー部１３５をＯＦＦするには、他に、ＡＣの遮断を瞬時に検知するＩＣを利用してもよい。この場合も、より早くリレー部１３５をＯＦＦにすることができる。
【００４３】
前記実施形態１，２では、何れもＡＣ遮断時にリレー部１３５をＯＦＦにすることで、直ぐにインバータ回路１２０に電力を供給できないようにして、圧縮機モータ１１０を適切に停止させる例について説明したが、以下の実施形態３では、ＡＣ遮断時に電源回路１４０への電力を安定して供給することで、制御回路１５０の電源を確保し、インバータ回路１２０を適切に制御することで、圧縮機モータ１１０を適切に停止させる例について説明する。
【００４４】
〔実施形態３〕
本発明の他の実施形態について説明すれば以下のとおりである。なお、説明の便宜上、前記実施形態にて説明した部材と同じ機能を有する部材については、同じ符号を付記し、その説明を省略する。
【００４５】
図５は、本実施形態に係る室外機１０３の概略構成ブロック図を示す。
【００４６】
室外機１０３は、図５に示すように、前記実施形態１，２の室外機１０１，１０２とは、ＤＣラインに対してリレー部１３５と平滑コンデンサとなる第１コンデンサ１３２及び第２コンデンサとが直列ではなく、並列に接続されている点でことなり、さらに、ＡＣ遮断の検知に用いる、ＤＣ電圧を分割するための２つの抵抗１３６・１３７、ＡＣ電圧を分圧するための２つの抵抗１３８・１３９が設けられていない点で異なる。
【００４７】
（リレー部１３５）
リレー部１３５は、図６に示すように、カソードがＤＣラインに接続され、アノードが電源用コンデンサ１４及び電源回路１４０に接続されたダイオード１３を備えている。
【００４８】
（リレー部１３５のＯＮ／ＯＦＦ制御）
図６において、ダイオード１３のアノード電位をＶ１とする。Ｖ１は、ＡＣ電圧が整流回路１３１にて整流されたＤＣ電圧の高圧側の電位とする。また、ダイオード１３のカソード電位をＶ２とする。Ｖ２は、電源回路１４０（低圧）側の電位とする。
【００４９】
従って、上記リレー部１３５において、ＡＣが遮断されていない通常時では、Ｖ１は比較的大きい直流電圧となる。このため、Ｖ１＞Ｖ２となる。この結果、ダイオード１３は導通する。すなわち、リレー部１３５がＯＮ状態となり、電源用コンデンサ１４は、当該リレー部１３５と並列に接続された平滑コンデンサ（第１コンデンサ１３２，第２コンデンサ１３３）と同様に、充電・放電が繰り返される。この場合、電源用コンデンサ１４は、ＤＣライン側から充電されるものの、前段に設けられたダイオード１３のアノードに接続されているため、ＤＣライン側に放電されず、電源回路１４０側に放電される。
【００５０】
一方、上記リレー部１３５において、ＡＣが遮断された異常時では、Ｖ１は小さい直流電圧（ほぼ０Ｖ）となる。このため、Ｖ１＜Ｖ２となる。この結果、ダイオード１３の導通状態は解消される。従って、電源用コンデンサ１４は、ダイオード１３によってＤＣラインに接続されない状態となるので、ＤＣライン側から充電されないが、電源回路１４０側への放電は行われる。つまり、ＡＣ遮断時には電源用コンデンサ１４に充電された電力が電源回路１４０に供給される。
【００５１】
（効果）
上記構成の室外機１０３に搭載された電源装置によれば、前記実施形態２の室外機１０２に搭載された電源装置とほぼ同じ効果を奏する。すなわち、室外機１０３に搭載された電源装置では、リレー部１３５がダイオード１３のリレー機能を利用しているため、マイコン１７０（図１）を経由しないので、より早くリレー部１３５をＯＦＦにすることができる。
【００５２】
また、上記構成の室外機１０３に搭載された電源装置では、リレー部１３５に電源用コンデンサ１４を設けることで、ＡＣ遮断時であっても、電源回路１４０には電源用コンデンサ１４に充電された電力が供給される。これにより、ＡＣ遮断時に制御回路１５０の電源が確保され、インバータ回路１２０の駆動制御が適切に行えるので、圧縮機モータ１１０を適切に停止させることができ、この結果、室外機１０３を適切に停止させることができる。
【００５３】
しかも、本実施形態に係る室外機１０３では、既存の回路ベースに、リレー部１３５を設けるという簡単な構成で、ＡＣ遮断時に室外機１０３を適切に停止するための回路を安価に実現している。
【００５４】
〔まとめ〕
本発明の態様１に係る電源装置は、空気調和機の室外機（１０１、１０２）に搭載される電源装置（インバータ回路１２０，平滑回路１３０）であって、ＡＣ電圧を整流する整流回路１３１と、上記整流回路１３１にて整流して得られたＤＣ電圧を平滑する平滑コンデンサ（第１コンデンサ１３２，第２コンデンサ１３３）と、上記平滑コンデンサ（第１コンデンサ１３２，第２コンデンサ１３３）にて平滑されたＤＣ電圧を上記室外機（１０１、１０２）内の圧縮機モータ１１０に擬似交流電圧として印加するインバータ回路１２０と、上記平滑コンデンサ（第１コンデンサ１３２，第２コンデンサ１３３）と上記インバータ回路１２０との間の導通状態・非導通状態を切り換えるリレー部１３５と、を備え、上記リレー部１３５は、ＡＣ遮断時に、上記平滑コンデンサ（第１コンデンサ１３２，第２コンデンサ１３３）と上記インバータ回路１２０との間を非導通状態に切り換えることを特徴としている。
【００５５】
上記構成によれば、リレー部が、ＡＣ遮断時に、平滑コンデンサとインバータ回路との間を非導通状態に切り換えることで、インバータ回路には平滑コンデンサに充電された電力が供給されないので、インバータ回路から圧縮機モータに擬似交流電圧が印加されない。つまり、ＡＣ遮断時に、圧縮機モータを直ぐに停止させることができる。
【００５６】
従って、ＡＣが意図せず遮断された場合であっても、室外機を適切に停止させることができる。
【００５７】
本発明の態様２に係る電源装置は、上記態様１において、上記インバータ回路１２０を駆動制御する制御回路１５０と、上記制御回路１５０に電力を供給する電源回路１４０と、をさらに備え、上記電源回路１４０の電力入力端子は、上記平滑コンデンサ（第１コンデンサ１３２，第２コンデンサ１３３）の正極側に接続されていてもよい。
【００５８】
上記構成によれば、電源回路の電力入力端子は、平滑コンデンサの正極側に接続されていることで、ＡＣ遮断時に、平滑コンデンサに充電された電力が電源回路に供給される。これにより、ＡＣ遮断時であっても、インバータ回路を駆動制御する制御回路に電力を安定して供給することができるので、インバータ回路の駆動を適切に停止させることができ、結果として、室外機全体を適切に停止させることができる。
【００５９】
本発明の態様３に係る電源装置は、上記態様２において、上記電源回路１４０は、上記室外機（１０１、１０２）内の圧縮機モータ１１０が停止する際に生じる回生エネルギーが充電されてもよい。
【００６０】
上記構成によれば、電源回路に、室外機内の圧縮機モータが停止する際に生じる回生エネルギーが充電されることで、回生エネルギーを充電しない場合に比べて、ＡＣ遮断時に利用できる電力を多くすることが可能となる。これにより、ＡＣ遮断時であっても、インバータ回路に安定して電力を供給することができるので、インバータ回路の駆動を適切に停止させることができ、結果として、室外機全体を適切に停止させることができる。
【００６１】
本発明の態様４に係る電源装置は、上記態様１〜３の何れか１態様において、上記平滑コンデンサ（第１コンデンサ１３２，第２コンデンサ１３３）は、上記室外機（１０１、１０２）内の圧縮機モータ１１０が停止する際に生じる回生エネルギーが充電されてもよい。
【００６２】
上記構成によれば、平滑コンデンサに、室外機内の圧縮機モータが停止する際に生じる回生エネルギーが充電されることで、ＡＣ遮断時に電源回路に供給する電力を多くすることが可能となる。これにより、ＡＣ遮断時であっても、インバータ回路に安定しえ電力を供給することができるので、インバータ回路の駆動を適切に停止させることができ、結果として、室外機全体を適切に停止させることができる。
【００６３】
本発明の態様５に係る電源装置は、上記態様１〜４の何れか１態様において、上記リレー部１３５は、電磁力を発生する電磁部１１と、当該電磁部１１によって発生した電磁力によりＯＮ／ＯＦＦするスイッチ部１２とを備えていてもよい。
【００６４】
本発明の態様６に係る電源装置は、上記態様１〜４の何れか１態様において、上記リレー部１３５は、信号を発生する電磁部１１と、当該電磁部１１によって発生した信号によりＯＮ／ＯＦＦするスイッチ部１２とを備えていてもよい。
【００６５】
本発明の態様７に係る電源装置は、空気調和機の室外機１０３に搭載される電源装置であって、ＡＣ電圧を整流する整流回路１３１と、上記整流回路１３１にて整流して得られたＤＣ電圧を平滑する平滑コンデンサ（第１コンデンサ１３２，第２コンデンサ１３３）と、上記平滑コンデンサ（第１コンデンサ１３２，第２コンデンサ１３３）にて平滑されたＤＣ電圧を上記室外機１０３内の圧縮機モータ１１０に擬似交流電圧として印加するインバータ回路１２０と、上記インバータ回路１２０を駆動制御する制御回路１５０と、上記制御回路１５０に電力を供給する電源回路１４０と、を備え、上記平滑コンデンサ（第１コンデンサ１３２，第２コンデンサ１３３）と並列に接続され、上記ＤＣ電圧の高圧側と低圧側との間の導通状態・非導通状態を切り換えるリレー部１３５と、を備え、上記リレー部１３５は、ダイオード１３と電源用コンデンサ１４からなり、上記ダイオード１３のカソードが上記ＤＣ電圧の高圧側に接続され、当該ダイオード１３のアノードが上記電源用コンデンサ１４及び上記電源回路１４０に接続されていることを特徴としている。
【００６６】
上記構成によれば、ＡＣ遮断時、電源用コンデンサは、ダイオードによりＤＣラインに接続されない状態となるので、ＤＣライン側から充電されないが、電源回路側への放電は行われる。つまり、ＡＣ遮断時には電源用コンデンサに充電された電力が電源回路に供給される。これにより、ＡＣ遮断時に制御回路の電源が確保され、インバータ回路の駆動制御が適切に行えるので、圧縮機モータを適切に停止させることができ、この結果、室外機を適切に停止させることができる。
【００６７】
従って、ＡＣが意図せず遮断された場合であっても、室外機を適切に停止させることができる。
【００６８】
本発明の態様８に係る空気調和機は、外部の電源から電力が供給される室内機と、当該室内機から電力が供給される室外機（１０１〜１０３）とを備えた空気調和機であって、上記室外機（１０１〜１０３）に搭載される電源装置は、請求項１〜７の何れか１項に記載の電源装置であることを特徴としている。
【００６９】
上記の構成によれば、ＡＣが意図せず遮断された場合であっても、室外機を適切に停止させることのできる空気調和機を提供することができる。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１１  電磁部
１２  スイッチ部
１３、１１１  ダイオード
１４  電源用コンデンサ
１７０  マイコン
１０１、１０１，１０２、１０２、１０３  室外機
１１０  モータ
１１０  圧縮機モータ
１２０  インバータ回路（電源装置）
１２１  スイッチング素子
１２２  帰還ダイオード
１３０  平滑回路（電源装置）
１３１  整流回路
１３２  第１コンデンサ
１３３  第２コンデンサ
１３４  第３コンデンサ
１３５  リレー部
１３６・１３７、１３８・１３９  抵抗
１４０  電源回路
１５０  制御回路
１６０  ＡＣ電源
Ｎ  接点
Ｐ  接点
【図１】
2017215068.tif 000003
【図２】
2017215068.tif 000004
【図３】
2017215068.tif 000005
【図４】
2017215068.tif 000006
【図５】
2017215068.tif 000007
【図６】
2017215068.tif 000008